(57)【要約】      （修正有）【課題】均一な計測ができ、事故、誤動作のない信頼性の高いスイッチング素子と、それを用いた競泳用タッチ板を提供する。【解決手段】スイッチング素子は、薄型で柔軟なシート状の絶縁積層体からなる基板２、２’と、それらの内側と外側に設けられた圧電体層３、３‘と外部電極層５、５’及び圧電層３、３’の間に設けられた内部電極層４とからなる。外部電極層５、５’はスイッチング素子１を密封し、電気的に接続され、外部電極層５と基板２に内部電極層４のために設けた通電用窓を有する。競泳用タッチ板１０は、基板となるゴムシート１１と、泳者がタッチするゴムシート１２の間にスイッチング素子１を挟み込んで貼り付けた構造を有する。【選択図】図１
2006253416.tif 000002
【特許請求の範囲】
【請求項１】
薄型で柔軟なシート状の絶縁積層体からなる第１基板（２）及び第２基板（２’）と、
前記第１基板（２）と前記第２基板（２’）とのそれぞれ一方の面に設けられた圧電体からなる第１圧電層（３）及び第２圧電層（３’）と、
前記第１基板（２）と前記第２基板（２’）とを、前記第１圧電層（３）と前記第２圧電層（３’）が向かい合うように配置して、前記第１圧電層（３）と前記第２圧電層（３’）の間に設けられた内部電極層（４）と、
前記第１基板（２）及び前記第２基板（２’）の他方の面に設けられ、前記第１基板（２）と前記第２基板（２’）の間の積層体（３、４、３’）を密封し、電気的に接続されている第１外部電極層（５）及び第２外部電極層（５’）と
からなることを特徴とするスイッチング素子。
【請求項２】
前記第１外部電極層（５）と前記第２外部電極層（５’）の外側に絶縁積層体を設けている
ことを特徴とする請求項１に記載のスイッチング素子。
【請求項３】
前記圧電体は、窒化アルミニウム又は酸化亜鉛の薄膜である
ことを特徴とする請求項１又は２に記載のスイッチング素子。
【請求項４】
前記絶縁積層体は、ポリイミド、ポリフッ化ビニリデン及びポリアミドの材料から選択される１層以上のフィルムである
ことを特徴とする請求項１〜３から選択される１項に記載のスイッチング素子。
【請求項５】
請求項１〜４から選択される１項に記載の前記スイッチング素子を備えた競泳用タッチ板において、
前記スイッチング素子は、基板となる第１ゴムシートと、泳者がタッチする第２ゴムシートの間に挟み込んで貼り付けた
ことを特徴とする競泳用タッチ板。
【請求項６】
前記第１ゴムシートの上部端は、スイッチング素子を備え、上部からのタッチを検知する
ことを特徴とする請求項５に記載の競泳用タッチ板
【発明の詳細な説明】
【技術分野】
【０００１】
本発明は、スイッチング素子及びそれを用いた競泳用タッチ板に関する。更に詳しくは、絶縁体と圧電体を積層構造にしてなるスイッチング素子及びそれを用いた競泳用タッチ板に関する。
【背景技術】
【０００２】
従来、水泳競技において、泳者の競泳時間を計測するために競泳用タッチ板が用いられている。図７には、従来の競泳用タッチ板の断面図を図示している。競泳用タッチ板は、主にプールの壁面２３に固定するためのリアパネル２７と、泳者がタッチするためのフロントパネル２４とからなる二枚板構造になっている。リアパネル２７とフロントパネル２４の間に、検出用のテープスイッチ２６が設置されている。泳者がフロントパネル２４にタッチすると、フロントパネル２４がプールの壁面２３の方向に押されてテープスイッチ２６に接触して動作する。
【０００３】
テープスイッチ２６は、電気的に通電し、テープスイッチ２６に接続された計測器（図示せず）で泳者のタッチを検知し、競泳時間（タイム）を測定している。また、競泳用タッチ板には、フロントパネル２４の上面からプール壁面２３の上部角にかけてトップエッジパネル２５を設けている。泳者がプール壁２３の上部角にタッチした場合でもトップエッジパネル２５によってテープスイッチ２６が作動する仕組になっている。
【０００４】
特許文献１には、競泳者以外の不測の力がかかっても、その力によっては計時しないようにした競泳競技用タッチパネルの構造が開示されている。また、特許文献２には、競泳用タッチパネルのメンテナンスを容易にするために、リアパネルにテープスイッチ収納チューブを固着し、枠体に水抜き孔を設けた競泳用タッチパネルが開示されている。テープスイッチはテープスイッチ収納チューブ内に挿入され取り替え易くなっている。
【０００５】
更に、特許文献３には、表面はパネル状スイッチと一体化した網状部材となっている構造の競泳用タッチ板が開示されている。パネル状スイッチはタッチ板全面にあるためどこの部分にタッチしてもタッチ信号を間違いなく拾うことができ、泳者のタッチは網の凸部分のみにかかるため波の押圧信号から選別することができる。
【０００６】
特許文献４には、フロントパネルを分割してベースプレートに係着し、その間にテープスイッチを配置した競泳用タッチ検出装置が開示されている。これにより、フロントパネルの動作を軽くでき、その反りを少なくすることができ、テープスイッチの感知が均一にすることができる。
【０００７】
特許文献５には、フロントパネルとプールの壁面に固定するリアパネルの間に弾性部材を設けて、競泳者のタッチ以外の外力による誤動作を防止できる競泳用タッチパネルが開示されている。特許文献６には、前板（フロントパネル）と上部枠（トップエッジパネル）とのタッチ面をそろえて配設した競泳用タッチ板が開示されている。この競泳用タッチ板は、正確な計時を可能とし、また、安全性の高いものである。
【０００８】
【特許文献１】特開平５−２３７２１０号公報
【特許文献２】特開平６−０３１０２３号公報
【特許文献３】特開平８−２５７１９６号公報
【特許文献４】特開平９−２９９５３８号公報
【特許文献５】特開平１０−２９５８６９号公報
【特許文献６】特開平１１−０９４９６０号公報
【発明の開示】
【発明が解決しようとする課題】
【０００９】
上述の競泳用タッチ板は、二枚板構造になっているため、次の問題点がある。フロントパネル２４とリアパネル２７の間には水が存在する。そのため、フロントパネル２４が押されてからその動作がテープスイッチ２６に到達するまでに水の抵抗が作用する。従って、泳者がフロントパネル２４をタッチしてから計時するまでに時間的な遅延が発生し、計時の応答スピードが損なわれることになる。競泳の計時は、１００分の１秒レベル以上の精密な測定を要するものであり、水の抵抗は、泳者のタイムに影響を及ぼしかねない。
【００１０】
また、泳者がフロントパネル２４にタッチをする際に、タッチをしてすぐに、ひじを曲げたり又はフロントパネル２４から手を離したりすることがある。このような場合は、タッチの衝撃が一瞬であり、又は、タッチの圧力が十分ではないことになり、計測器でタイムを測定できない。このように、競泳用タッチ板が作動せず、計測器で計時が行えなかったというトラブルが過去の事例で挙がっている。
【００１１】
更に、フロントパネル２４とリアパネル２７の隙間にゴミ等が混入してフロントパネル２４をタッチしても衝撃がテープスイッチ２６に到達せず、感度を鈍らせたり、作動不能になる場合がある。競泳用タッチ板では市販の汎用テープスイッチ２６を使用していることが多い。防水加工が施してあるテープスイッチ２６でも、防雨程度の信頼性しか保証しないものが殆どであり、水中で使用すると漏電の危険性がある。また、競泳用タッチ板、計測器の故障の原因ともなる。そのため、これらのテープスイッチ２６を水中で使用することは最適ではない。
【００１２】
競泳の公式大会では、競泳用タッチ板にトラブルが生じた時のためにバックアップシステムが整備されている。このような場合でも、一時システムでの計時が望ましく、その計時は許されないものである。正確な計時が可能で、且つ確実に動作することが保証される競泳用タッチ板を設置することが望ましい。
【００１３】
本発明は上述のような技術背景のもとになされたものであり、下記の目的を達成する。
本発明の目的は、均一な計測ができ、事故、誤動作のない信頼性の高いスイッチング素子と、それを用いた競泳用タッチ板を提供することである。
【００１４】
本発明の他の目的は、高い計測感度のスイッチング素子と、それを用いた競泳用タッチ板を提供することである。
【００１５】
本発明の更に他の目的は、水が細部に浸入して故障を招くことの無いスイッチング素子と、それを用いた競泳競技用タッチ板を提供することである。
【００１６】
本発明の更に他の目的は、フロントパネルとリアパネルの間にゴミ等の異物が侵入して計時不能でにしないような動作をする競泳用タッチ板を提供することである。
【課題を解決するための手段】
【００１７】
本発明は、前記目的を達成するため、次の手段を採る。
本発明１のスイッチング素子は、
薄型で柔軟なシート状の絶縁積層体からなる第１基板（２）及び第２基板（２’）と、
前記第１基板（２）と前記第２基板（２’）とのそれぞれ一方の面に設けられた圧電体からなる第１圧電層（３）及び第２圧電層（３’）と、
前記第１基板（２）と前記第２基板（２’）とを、前記第１圧電層（３）と前記第２圧電層（３’）が向かい合うように配置して、前記第１圧電層（３）と前記第２圧電層（３’）の間に設けられた内部電極層（４）と、
前記第１基板（２）及び前記第２基板（２’）の外側に設けられ、前記第１基板（２）と前記第２基板（２’）の間の積層体（３、４、３’）を密封し、電気的に接続されている第１外部電極層（５）及び第２外部電極層（５’）と
からなることを特徴とする。
【００１８】
更に、本発明２のスイッチング素子は、本発明１において、前記第１外部電極層（５）と前記第２外部電極層（５’）の外側に絶縁積層体を設けていることを特徴とする。
【００１９】
更に、本発明３のスイッチング素子は、本発明１又は２において、前記圧電体は、窒化アルミニウム又は酸化亜鉛の薄膜であることを特徴とする。
【００２０】
更に、本発明４のスイッチング素子は、本発明１〜３から選択される１発明において、前記絶縁積層体は、ポリイミド（ＰＩ、polyimide）、ポリフッ化ビニリデン（ＰＶＤＦ、poly vinylindene fluoride）及びポリアミド（polyamide）の材料から選択される１層以上のフィルムであることを特徴とする。
【００２１】
更に、本発明５の競泳用タッチ板は、本発明１〜４から選択される１発明のスイッチング素子を備え、前記スイッチング素子は、基板となる第１ゴムシートと、泳者がタッチする第２ゴムシートの間に挟み込んで貼り付けたことを特徴とする。
【００２２】
更に、本発明６の競泳用タッチ板は、本発明５において、前記第１ゴムシートの上部端は、スイッチング素子を備え、上部からのタッチを検知することを特徴とする。
【発明の効果】
【００２３】
本発明によると、次の効果が奏される。
本発明のスイッチング素子は、一枚シートの構造になっており、その表面にタッチがされた瞬間にスイッチング素子が感知し、より正確な計時が可能となる。
【００２４】
本発明のスイッチング素子は、絶縁積層体で覆われており、防水性等にすぐれ、性能の劣化や故障の改善が図れる。
【００２５】
本発明のスイッチング素子は、薄く柔らかいため自由自在に折り曲げて設置することも可能となる。
【００２６】
本発明の競泳用タッチ板は、一枚板構造になっており、従来のようのフロントパネルとリアパネルとの間の水の抵抗が生じないので、表面のゴムシートに泳者のタッチがされた瞬間にスイッチング素子が感知し、より正確な計時が可能となる。
【００２７】
本発明の競泳用タッチ板は、従来のフロントパネルの移動に要していたロスタイムがなくなり、泳者が競泳用タッチ板にタッチした瞬間を計時することが可能となる。  
【発明を実施するための最良の形態】
【００２８】
以下に、本発明の実施の形態及び実施例を図面に基づいて説明する。
〔スイッチング素子〕
本発明のスイッチング素子は、パイロ電気の生じる結晶からなる圧電体を内蔵し、２つの電極を有する構造のものである。本発明のスイッチング素子は、シート状の形状をしている。外部からこのスイッチング素子に機械的なひずみ力を与えると、圧電体の結晶が電気分極を起こし、２つの電極間に所定の電圧が生じる。このように、本発明のスイッチング素子は、機械運動を電気に変換して検出するものである。
【００２９】
図１には、本発明のスイッチング素子１の概要を図示している断面図である。スイッチング素子１は２枚の基板２、２’を有する。２枚の基板２、２’の内側にそれぞれ圧電体層３、３’を設けている。この２枚の圧電体層３、３’の間には内部電極層４を設けてい
る。２枚の基板２、２’の外側には外部電極層５、５’を設けている。
【００３０】
図２には、スイッチング素子１の電気的な接続を示す断面図である。２枚の外部電極層５、５’で、スイッチング素子１の全体を覆い、２枚の外部電極層５、５’を互いに電気的に接続すると共に、内部電極４、圧電体層３、３’を外部から電気的に遮断している。スイッチング素子の基板２’に通電用窓６を開けて、内部電極層４から電極を取り出している。
【００３１】
基板２、２’は、絶縁体の材料からできているシート状の薄膜（フィルム）である。例えば、基板２、２’は、ポリイミド（ＰＩ、polyimide）、ポリフッ化ビニリデン（ＰＶＤＦ、poly vinylindene fluoride）、ポリアミド（polyamide）等の材料からなるフィルムである。圧電体層３、３’は、パイロ電気の生じる結晶からなる。例えば、圧電体層３、３’は、窒化アルミニウム、酸化亜鉛等の材料からなる薄膜である。圧電体層３、３’は、基板２、２’の一方の面に形成される。
【００３２】
内部電極層４と外部電極層５、５’は、圧電体層３、３’で分極した電気を取り出すための電極である。この２つの電極間には、圧電体層３、３’の分極によって、所定の電圧Ｖ（図２を参照）が生じる。内部電極層４と外部電極層５、５’とに電荷検出のための電荷検出回路７を接続して、圧電体層３、３’によって分極した電荷を検出する。電荷検出回路７は、例えば、電流計、電圧計等の電気量検出計である。
【００３３】
また、電荷検出回路７は、圧電体層３、３’に電荷が発生した時間を検出するためのデジタル回路等を備えた高度な回路であっても良い。電荷検出回路７は、公知の技術であり、その詳細な説明は省略する。内部電極層４と外部電極層５、５’の材料としては、導電体の材料である銀、銅、金、白金、スズ、アルミニウム等の金属材料、炭素材料が用いられる。これらの導電体は、基板２、２’の上に、厚さ１〜１００μｍ、好ましくは１０〜１００μｍの薄膜として形成される。
【００３４】
圧電体層２、２’の材料としては、チタン酸バリウム、チタン酸ジルコン酸鉛（ＰＺＴ）、窒化アルミニウム等のセラミックス圧電体、ポリフッ化ビニリデン系重合体又は共重合体、ビニリデンシアナイド系共重合体等の高分子圧電体等が用いられる。連続使用した場合に劣化せず、感度が良好な直線性を示すセラミックス圧電体のような無機材料が好ましい。また、圧電体層３、３’の材料としては、特許文献７に記載の酸化亜鉛、特許文献８に記載のポリフッ化ビニリデン（ＰＶＤＦ）を用いることができる。
【００３５】
基板２、２’の表面に圧電体層３、３’を形成するには、スパッタリング法、コーティング法、化学蒸着法、真空蒸着法、イオンプレーティング法、めっき法等の方法を用いることによって行うことができる。圧電体層３、３’は、厚さ０．５〜１０μｍ、好ましくは０．５〜５μｍの範囲内である。
【００３６】
２枚の防水性のフィルムを外部電極層５、５’の両面に貼り、スイッチング素子１の防水性、耐久性を高め、様々な環境で使用することができる。防水性のフィルムとしては、ポリイミドフィルムが好ましい。このように、ポリイミドフィルムでスイッチング素子１を覆うと、スイッチング素子１を合成ゴム等に容易に貼り付けて使用することができる。
【００３７】
スイッチング素子１は、数センチメートルまでの大きさで製造することができ、フレキシブルな構造をしている。このため、タッチパネルの表面をスイッチング素子１により構成し、様々分野でセンサとして使用することができる。例えば、薄型でかつ柔軟性を有するので生体情報計測装置に使用し、人体表面に発生する圧力変動を計測することができる。体操競技用のタッチ計測器のセンサとして使用することができる。また、押し式のボタンにも応用することができる。
【００３８】
また、上述したようにスイッチング素子１は一枚シートの構造になっており、その表面にタッチがされた瞬間にスイッチング素子１が感知し、より正確な計時が可能となる。また、スイッチング素子１のどの部分に圧力を加えても均一な感度を示し、高度な感応性が可能となる。更に、スイッチング素子１の外部電極層５，５’と基板２、２’、内部電極層４と圧電体層３、３’は、非常に強く密着しているため、基板２、２’の変形による圧電体のはがれや破損は発生しないため性能の劣化や故障の改善が図れる。また、スイッチング素子１は薄く柔らかいため自由自在に折り曲げて設置することも可能となる。
【００３９】
【特許文献７】特許公表２００１−５２５７０６（２００１年１２月１１日公表）
【特許文献８】特許公開平９−２６０７３５（１９９７年１０月３日公開）
【実施例１】
【００４０】
次に、スイッチング素子１の実施例を説明する。
スイッチング素子１の基板２、２’としてはシート状のポリイミドフィルム（東レ・デュポン社製、カプトン１００Ｈ）、圧電体層３、３’としては窒化アルミニウムの薄膜、内部電極層４としては白金（Ｐｔ）膜、外部電極層５、５’としては白金膜をそれぞれ用いた。
【００４１】
ポリイミドフィルムの厚さは２５μｍであった。スパッタリング法により、厚さ１．２μｍの窒化アルミニウムの薄膜をポリイミドフィルムの上に形成した。このときの条件は、基板温度約４０度、スパッタ圧０．３Ｐａ（Ｎ２１００％）、ＲＦパワー４００Ｗである。さらに同一条件で、窒化アルミニウム層の上に内部電極層用に厚さ１００μｍの白金膜を形成した。また、同一条件で、窒化アルミニウム層を形成していないポリイミドフィルムの面に外部電極層用に厚さ１００μｍの白金膜を形成した。
【００４２】
このように、窒化アルミニウムの薄膜と白金膜を形成したポリイミドフィルムを２枚用い、一枚目のポリイミドフィルムに内部電極のための取り出し口として、５ｍｍ×５ｍｍの窓を切り抜いた。シリコンゴム接着剤を使用して、２枚のポリイミドフィルムの内側電極用の白金膜同士を接着させた。２枚のポリイミドフィルムを接着させた後、ポリイミドフィルムの角から約６ｍｍ内側に窓が位置するように、ポリイミドフィルム本体を４０ｍｍ×６０ｍｍの大きさに切り抜き、その外縁にアルミニウムテープを形成した。
【００４３】
このように、ポリイミドフィルムをアルミニウムテープで覆うと、ポリイミドフィルムを外部環境から電気的に完全に遮蔽する。更に、スイッチング素子の防水性、耐久性を高めるために、２枚のポリイミドフィルムをアルミニウムテープの両面に貼り付けた。このように作成したスイッチング素子に、電磁式加圧器によって圧力を印加し、スイッチング素子の応答を測定した。
【００４４】
スイッチング素子に印加される圧力は、歪みゲージ式圧力センサによって測定した。図３は、実施例１のスイッチング素子に矩形パルス状の圧力を印加したときの応答を示すグラフである。図３は、印加した圧力及びスイッチング素子の応答の電荷量の変化を経時的に示すグラフである。
【００４５】
図４は、実施例１のスイッチング素子に正弦波状の圧力を印加したときの応答を示すグラフである。図４は、印加した圧力及びスイッチング素子の応答の電荷量の変化を経時的に示すグラフである。図３と図４のグラフからは、スイッチング素子の応答出力は、歪みゲージ式圧力センサによって測定したものと比較してノイズが少ないことがわかる。
【００４６】
〔競泳用タッチ板〕
次に、スイッチング素子１を用いた競泳用タッチ板１０を説明する。競泳用タッチ板１０は、プール等で泳いでいる泳者の競泳時間を測定するために利用するものである。泳者が競泳用タッチ板１０のフロントパネル１１にタッチすると、競泳用タッチ板１０に内蔵されたスイッチング素子１が動作し、スイッチング素子１と接続された計測器（図示せず）によってその競泳時間を測定する。
【００４７】
図５は、スイッチング素子１を用いた競泳用タッチ板１０の断面図である。競泳用タッチ板１０は、スイッチング素子１とゴムシート１１、１２とからなり、スイッチング素子１とゴムシート１１，１２が完全に密着した一枚板構造になっている。スイッチング素子１をゴムシート１１，１２の間に挟み込み、シリコンゴム接着剤等の接着剤でそれぞれを接着している。スイッチング素子１は、上述したようにフレキシブルなシート状のものである。競泳用タッチ板１０は、厚さ５ｍｍの合成ゴムのゴムシート１１，１２にスイッチング素子１を貼り付けた構造になっている。
【００４８】
スイッチング素子１は、上述したように圧電体３、３’（図１，２を参照）の圧電性を持って動作原理としている。スイッチング素子１は、計時装置（図示せず）に接続して使用する。計時装置は、スイッチング素子１の２つの電極４，５（図１，２を参照）に接続され、印加圧力によって圧電体３，３’の表面に誘起された電荷を検出するためのものである。計時装置は、公知技術であり、その詳しい説明は省略する。泳者が、競泳用タッチ板１０にタッチすると、その衝撃が圧力としてスイッチング素子１に作用し、圧電体３，３’の特性により電荷が誘起され、瞬時に電気信号が発生する。
【００４９】
従来のようのフロントパネル２４とリアパネル２７との間の水の抵抗やフロントパネル２４の移動に要していたロスタイムがなくなり（図７を参照）、泳者が競泳用タッチ板１０にタッチした瞬間を計時することが可能となる。スイッチング素子１の電極４，５及び基板２，２’と圧電体３，３’は、非常に強く密着し、基板２，２’の変形による圧電体３，３’のはがれや破損は発生しない。性能の劣化や故障がなく半永久的に使用することができる。
【００５０】
図６は、競泳用タッチ板１０を設置した様子を示す図である。競泳用タッチ板１０をプール壁面１３に酢酸ビニル樹脂等の接着剤で直接に貼り付ける。競泳用タッチ板１０は、単に圧縮応力のみならず、せん断応力に対しても出力を得ることができるが、プール壁面１３に対して垂直に曲げた部分を設けてあるので、矢印Ｂの方向から泳者がプール上部角にしたタッチも感知することができる。
【００５１】
競泳用タッチ板１０は、水流も感知することになる。しかし、泳者がタッチする衝撃と水流とを比較すると、圧電体３，３’に作用する圧力の大きさが明らかに違う。よって、泳者のタッチのみを感知するようにリミッターをかければ、識別することができる。このようなリミッターの機能を有する計時装置（図示せず）を用いることによって対応することができる。
【００５２】
本発明の競泳用タッチ板１０は、スイッチング素子１の薄く柔らかい特性を生かし、ゴムシート１１、１２に挟み込み、自由自在に折り曲げて設置することが可能となる。また、スイッチング素子１を数枚重ねてゴムシート１１、１２の間に挟めば、一枚のスイッチング素子が作動しなかった場合でも、計時の十分な保証が可能となる。
【００５３】
また、本発明の競泳用タッチ板１０には隙間が存在しないため、ゴミ等の異物混入によるトラブルの改善が図れる。本発明の競泳用タッチ板１０は、表面にゴム素材を使用するので、泳者の手足および頭部が衝突した場合でも怪我することはなく、競泳用タッチ板１０による感電の危険性は全くないため高い安全性を保証することが可能となる。本発明の競泳用タッチ板１０は、従来の競泳用タッチ板を分解してセンサ部のテープスイッチのメンテナンスを行っていたようにその作業の必要性がなくなり、メンテナンスの改善が図れる。
【産業上の利用可能性】
【００５４】
本発明のスイッチング素子は、機械的な圧力等の衝撃を感知するセンサとして利用すると良い。特に、押しボタン、競技用のタッチセンサ等に利用すると良い。
【図面の簡単な説明】
【００５５】
【図１】図１は、本発明のスイッチング素子１の概要を図示している断面図である。
【図２】図２は、本発明のスイッチング素子１の電気的な接続を示す断面図である。
【図３】図３は、実施例１のスイッチング素子に応答を示すグラフである。
【図４】図４は、実施例１のスイッチング素子に応答を示すグラフである。
【図５】図５は、スイッチング素子１を用いた競泳用タッチ板１０の断面図である。
【図６】図６は、競泳用タッチ板１０を設置した様子を示す概念図である。
【図７】図７は、従来の競泳用タッチ板１０の断面を示している図である。
【符号の説明】
【００５６】
１…スイッチング素子
２、２’…基板
３、３’…圧電体層
４…内部電極層
５、５’…外部電極層
６…通電用窓６
７…電荷検出回路
１０…競泳用タッチ板
１１、１２…ゴムシート
１３、２３…プールの壁面
２４…フロントパネル
２５…トップエッジパネル
２６…テープスイッチ
２７…リアパネル
【図１】
2006253416.tif 000003
【図２】
2006253416.tif 000004
【図３】
2006253416.tif 000005
【図４】
2006253416.tif 000006
【図５】
2006253416.tif 000007
【図６】
2006253416.tif 000008
【図７】
2006253416.tif 000009